(57)【特許請求の範囲】
【請求項１】
携帯電話システムの無線基地局経由で網側に設置されている携帯電話サービス登録管理局のデータベースに対する照会要求信号を記憶する記憶手段と、
バッテリー充電が開始されたことを検出するバッテリー充電開始検出手段と、
電源投入時ならびにバッテリー充電開始時、自動的に前記照会要求信号を無線送信する送信手段と、
無線送信した前記照会要求信号に呼応して前記携帯電話サービス登録管理局から返信され、前記無線基地局経由の無線にて通知される無線信号を受信する受信手段並びに受信した前記無線信号に含まれる付加サービスに関する登録情報の最新の登録状態を表示する表示手段と
を具備することを特徴とする携帯電話機。
【請求項２】
前記携帯電話システムのサービス圏内であるかサービス圏外であるかを検出するサービス圏検出手段と、をさらに備え、
前記電源投入時ならびにバッテリー充電開始時に前記サービス圏外であった場合、前記照会要求信号の無線送信の実行を保留状態にし、前記サービス圏内に入ったとき前記保留状態を解除して無線送信させる制御手段を具備することを特徴とする請求項１に記載する携帯電話機。
【請求項３】
前記付加サービスに関する登録情報の最新の登録状態は、前記携帯電話システムが提供している付加サービス項目の全登録情報を含むものであることを特徴とする請求項１に記載する携帯電話機。
【発明の詳細な説明】
【０００１】
【発明の属する技術分野】
本発明は、転送サービス等の付加サービスを提供する携帯電話システムに属する携帯電話機に関するもので、特に付加サービスを受けるために利用者が予め登録した登録情報を表示可能で、電源投入時やバッテリの充電開始時に自動的に照会を行い、現在の登録状況を利用者に通知する機能を備えた携帯電話機に関するものである。
【０００２】
【従来の技術】
携帯電話システムは、転送サービス等の付加サービスを携帯電話機利用者に提供している。
【０００３】
【発明が解決しようとする課題】
従来の携帯電話機は、その利用者が付加サービスの提供を受けるために登録している登録状況を知ろうとする場合、利用者がサービス圏内で個々の付加サービス項目毎に照会を行い確認する。利用者が登録の解除申請をしない限り、その登録状態はのままに維持される。例えば、無条件転送を起動状態にしたまま、登録解除をし忘れた場合、その携帯電話機には着信がされず、全て転送されてしまう、このような場合、本人が気付いて登録解除するかまたはその利用者に他の人間が何らかの手段で登録解除を連絡し登録解除させなければならない。着信規制付加サービスの登録解除忘れも同様である。さらに携帯電話機が個人所有でなく、部或いは課等の所有で複数人で使用する場合は、さらに上記問題の発生頻度が高くなり、加えて業務上又は個人の転送先相手等に多大な迷惑がかかる。また無線通信によって登録を解除するにはサービス圏内でなければ行えず、利用者がサービス圏外にいる場合は、サービス圏内まで移動してから現在の登録状況を確認し、解除しなければならないため、操作が面倒である。
【０００４】
このような課題を達成するため、本発明の携帯電話機は、携帯電話システムの無線基地局経由で網側に設置されている携帯電話サービス登録管理局のデータベースに対する照会要求信号を記憶する記憶手段と、バッテリー充電が開始されたことを検出するバッテリー充電開始検出手段と、電源投入時ならびにバッテリー充電開始時、自動的に前記照会要求信号を無線送信する送信手段と、無線送信した前記照会要求信号に呼応して前記携帯電話サービス登録管理局から返信され、前記無線基地局経由の無線にて通知される無線信号を受信する受信手段並びに受信した前記無線信号に含まれる付加サービスに関する登録情報の最新の登録状態を表示する表示手段とを具備する。
【０００５】
さらに、前記携帯電話システムのサービス圏内であるかサービス圏外であるかを検出するサービス圏検出手段と、をさらに備え、前記電源投入時ならびにバッテリー充電開始時に前記サービス圏外であった場合、前記照会要求信号の無線送信の実行を保留状態にし、前記サービス圏内に入ったとき前記保留状態を解除して無線送信させる制御手段を具備する携帯電話機である。
【０００６】
また、前記付加サービスに関する登録情報の最新の登録状態は、前記携帯電話システムが提供している付加サービス項目の全登録情報を含むものである。
【０００７】
【発明の実施の形態】
以下、本発明の一実施例を図面を参照して説明する。
【０００８】
本実施例の携帯電話機は、図１に示すように、携帯電話機のバッテリ充電が開始されたことを検出するバッテリ充電開始検出部８と、電源オン／オフ時又はバッテリの充電開始時に自動的に付加サービス照会要求を行う付加サービス照会要求部１と、サービス圏内であるかサービス圏外であるかを検出するサービス圏検出部２と、電源オン／オフ時、サービス圏検出結果がサービス圏外であるときの携帯電話機の自動付加サービス照会要求メッセージを電話機内部に保存する付加サービス照会要求保存部３と、サービス圏検出部２の検出がサービス圏内となったときに、付加サービス照会要求保存部３に保存されている付加サービス照会要求メッセージを無線基地局に送信し、付加サービス照会要求メッセージに呼応して無線基地局経由で網側に設置されている携帯電話サービス登録管理局（ここにデータベースが設置されている）から返信され無線にて通知される現在の付加サービス登録状態を含む信号を受信する付加サービス照会処理部４と、受信した現在の付加サービス登録状態を電話機内部に保存する付加サービス状態保存部７と、付加サービスに関する登録状況の確認を表示により利用者に通知する付加サービス状態通知部５と、付加サービス照会要求保存部３に保存されている付加サービス照会要求メッセージを利用者の指示により取り消す付加サービス照会要求取消部６とを備えている。これら各部は、従来公知のハードウエア（プロセッサ、無線送受信回路、メモリ、など）をそのまま利用してソフトウエアにより実現される。
【０００９】
サービス圏検出部２によるサービス圏内であるかサービス圏外であるかの識別検出は、基地局から、ある周波数帯域でサービス圏内に常時流されている報知情報と呼ばれる共通情報をキャッチして、次のように判断することにより行われる。
【００１０】
（１）電源オンにより、携帯電話機は定められた周波数のキャリアをセンスし、有効な報知情報が流れているかどうかを試験し、有効であればサービス圏内状態（サービス状態）と判断し、有効でなく他にスキャンするキャリアがなければサービス圏外状態と判断する。
（２）サービス圏内状態時、サービス圏内状態においては、報知情報と、移動呼び出しメッセージを定期的に受信しており、これらが受信できなくなり、かつ、他に有効なキャリアが存在しなければサービス圏外状態となる。
（３）サービス圏外状態においては、携帯電話機は定期的に上記（１）の処理を実行する。
【００１１】
次に、フローチャートを参照して動作を説明する。図２において、電源オン後ステップS1にてハードウエア／ソフトウエアの初期設定を行い、続いてサービス圏検出部２でステップS2にて待受け処理を行い、サービス圏検出部２による検出がサービス圏内であるか否かステップS3で判断し、サービス圏内であれば、ステップS4に進み、付加サービス照会要求部１からの要求をそのまま付加サービス照会処理部４へ送って無線送信し、ステップS5で、その返信の結果を付加サービス状態保存部７で保存し、ステップS６に進み、付加サービス状態通知部５により利用者に最新の付加サービス登録状態を通知する。サービス圏内でなければ、つまりサービス圏外であれば、ステップS7へ進み、付加サービス照会要求部１からの自動付加サービス照会要求メッセージを付加サービス照会要求保存部３に保存する。ここで付加サービス照会要求メッセージの内容としては、登録中の全付加サービス種別、対象基本サービス種別などの照会要求をするメッセージ情報である。この照会要求に呼応し網側から全付加サービス項目の登録情報を含む登録情報が通知されるので、利用者が個々の付加サービス項目毎に照会を行うような面倒がない。
【００１２】
図３は、利用者が携帯電話機の充電を開始したことをバッテリ充電開始検出部８にて検出した場合のフローチャートであり動作としては、図２と同様であり、ステップS8はステップS3、ステップS4はステップS9、ステップS5はステップS10、ステップS6はステップS11、ステップS7はステップS12とそれぞれ同様の動作をする。
【００１３】
図４のステップS13において、携帯電話機がサービス圏外からサービス圏内に入ったことをサービス圏検出部２で検出したときは、ステップS14に進み、付加サービス照会要求保存部３に保存されている自動付加サービス照会要求メッセージが有るか否か判断し、自動付加サービス照会要求メッセージが保存されていれば、ステップS16にて付加サービス照会処理部４により直ちにメッセージを送信し、基地局側からの返信の結果を付加サービス状態保存部７で保存し、ステップS６に進み、付加サービス状態通知部５により利用者に最新の付加サービス登録状態を通知する。付加サービス照会要求保存部３に自動付加サービス照会要求が保存されていなければ、ステップS15に進み、サービス圏内に入ったときの所要の処理を行う。
【００１４】
図５は付加サービス照会要求取消部６による処理を示す。利用者が通信サービス（音声通信、データ通信、メッセージ等）を利用しようとしたときは、ステップS17において、付加サービス照会要求保存部３に保存されている自動付加サービス照会要求メッセージが有るか否か判断し、有れば、ステップS18にて付加サービス照会要求保存部３の保存を削除して自動付加サービス照会要求を取り消す。この取消は、携帯電話機がサービス圏内・圏外のいずれにあっても行うことができる。
【００１５】
以上のように、携帯電話機が電源オン又はバッテリの充電開始時に自動的に付加サービス提供状態を照会し、その結果から利用者に付加サービスに関する登録情報を通知するので、無条件転送や着信規制等の付加サービスに登録したまま、その登録解除忘れによる着信不可状態の継続を未然に防止することができる。また、電源オン又はバッテリ充電開始時に携帯電話機がサービス圏内にあるかサービス圏外にあるかを検出し、サービス圏外にあるときの付加サービス照会要求メッセージを保存しておいて、そのまま保留状態にしておき、サービス圏内に入ったときに、保存されている付加サービス照会要求メッセージを自動的に送信するので、付加サービスの登録解除忘れにすみやかに気付くことができ、よって着信不可状態の継続等の不具合を少なくできる。また、サービス圏外から圏内に入ったときに、自動的に付加サービス登録照会を実行するので、付加サービスの登録解除忘れによる着信不可状態の継続を少なくできる。
【００１６】
【発明の効果】
本発明は、携帯電話システムの無線基地局経由で網側に設置されている携帯電話サービス登録管理局のデータベースに対する照会要求信号を記憶する記憶手段と、
バッテリー充電が開始されたことを検出するバッテリー充電開始検出手段と、電源投入時ならびにバッテリー充電開始時、自動的に前記照会要求信号を無線送信する送信手段と、
無線送信した前記照会要求信号に呼応して前記携帯電話サービス登録管理局から返信され、前記無線基地局経由の無線にて通知される無線信号を受信する受信手段並びに受信した前記無線信号に含まれる付加サービスに関する登録情報の最新の登録状態を表示する表示手段とを具備するので、利用者が登録中のサービスを解除し忘れているような場合に極めて効果的である。
【図面の簡単な説明】
【図１】本発明による携帯電話機の特徴構成を示す機能ブロック図である。
【図２】携帯電話機の電源オン時の処理を示すフローチャートである。
【図３】携帯電話機のバッテリ充電開始時の処理を示すフローチャートである。
【図４】携帯電話機がサービス圏外から圏内に入ったときの処理を示すフローチャートである。
【図５】付加サービス照会要求の取消処理を示すフローチャートである。
【符号の説明】
１  付加サービス照会要求部
２  サービス圏検出部
３  付加サービス照会要求保存部
４  付加サービス照会処理部
５  付加サービス状態通知部
６  付加サービス照会要求取消部
７  付加サービス状態保存部
８  バッテリ充電開始検出部
【図１】
0004272334.tif 000002
【図２】
0004272334.tif 000003
【図３】
0004272334.tif 000004
【図４】
0004272334.tif 000005
【図５】
0004272334.tif 000006